(57)【要約】【課題】一体型シェービング及びトリミング装置のための湿式シェービングかみそりを提供すること。【解決手段】一体型シェービング及びトリミング装置（１０）は、電動トリマー（３０）、及びこのトリマーに被せて取り付けるのに適合した湿式シェービングかみそりアタッチメント（２０）を含む。湿式シェービングかみそりアタッチメントは、トリマーをハンドルとして使用する湿式シェービングのために、トリマーに被せて取り付けるための接続部材（２２）を含む。トリマーから独立した湿式シェービングのために接続部材に取り外し可能に装着される、グリップインサート（７２）が提供される。一体型シェービング及びトリミング装置並びにグリップインサートは、アライメントガイド（９２）を含み、接続部材のトリマーへの一方向装着とともにグリップインサートの接続部材への一方向装着をもたらす。【選択図】図１
2017148645.tif 000002
【特許請求の範囲】
【請求項１】
湿式シェービングかみそりであって、
前方端部、後方端部、及びそれらの間の対向する両側部を有する接続部材であって、前記前方端部に近接して配設された張り出し肩部、及び前記後方端部に配設された少なくとも１つのフックを備える、前記接続部材と、
前方端部、後方端部、及びそれらの間の対向する両側部を有するグリップインサートであって、前記後方端部に配設されたスロットを備え、前記スロットが、前記接続部材の前記後方端部に配設された前記少なくとも１つのフックに解放可能に装着され、前記接続部材の前記後方端部における前記少なくとも１つのフックと当該グリップインサートの前記後方端部における前記スロットとの間に、付勢される接続がもたらされ、前記付勢される接続がもたらされた状態で、前記グリップインサートの前記前方端部が、前記接続部材の前記張り出し肩部に解放可能に装着される、前記グリップインサートと、
前記接続部材の前記前方端部に装着されたかみそりカートリッジと、
を具え、前記フックは、通常の使用中に前記グリップインサートの動きを制限するリブを含むことを特徴とする湿式シェービングかみそり。
【請求項２】
前記接続部材が、前記前方端部に近接した前記接続部材の前記対向する両側部に配設されたアライメントガイドを更に具え、前記グリップインサートが、前記前方端部に近接した、前記対向する両側部に配設されたアライメントガイドを更に具え、前記グリップインサートの前記対向する両側部に配設された前記アライメントガイドが、前記接続部材の前記対向する両側部に配設された前記アライメントガイドに解放可能に装着されたことを特徴とする請求項１に記載の湿式シェービングかみそり。
【請求項３】
前記接続部材の対向する両側部に配設された前記アライメントガイドがアライメント溝を備え、前記グリップインサートの対向する両側部の前記アライメントガイドがアライメント部材を備えたことを特徴とする請求項２に記載の湿式シェービングかみそり。
【請求項４】
前記アライメント溝がＬ字状であり、前記アライメント部材とインターフェースをとりかつ前記接続部材の前記グリップインサートへの一方向装着をもたらすように構成されたことを特徴とする請求項３に記載の湿式シェービングかみそり。
【請求項５】
前記接続部材の対向する両側部に配設された前記アライメントガイドがアライメント部材を備え、前記グリップインサートの対向する両側部の前記アライメントガイドがアライメント溝を備えたことを特徴とする請求項２に記載の湿式シェービングかみそり。
【請求項６】
前記スロット及びフックが、前記接続部材を前記グリップインサートとぴったり嵌り合う関係に引っ張り込むために傾斜していることを特徴とする請求項１に記載の湿式シェービングかみそり。
【請求項７】
前記かみそりカートリッジが、前記接続部材の前記前方端部に取り外し可能に装着されることを特徴とする請求項１に記載の湿式シェービングかみそり。
【請求項８】
前記接続部材が、前記かみそりカートリッジを前記接続部材から着脱させる排除機構を更に具えたことを特徴とする請求項７に記載の湿式シェービングかみそり。
【請求項９】
前記グリップインサートがエラストマーであることを特徴とする請求項１に記載の湿式シェービングかみそり。
【請求項１０】
湿式シェービングかみそりキットであって、
湿式シェービングかみそりであって、
前方端部、後方端部、及びそれらの間の対向する両側部を有する接続部材であって、前記前方端部に近接して配設された張り出し肩部、及び前記後方端部に配設された少なくとも１つのフックを備える、前記接続部材と、
前方端部、後方端部、及びそれらの間に対向する両側部を有するグリップインサートであって、前記後方端部に配設されたスロットを備え、前記スロットが、前記接続部材の前記後方端部に配設された前記少なくとも１つのフックに解放可能に装着され、前記接続部材の前記後方端部における前記少なくとも１つのフックと当該グリップインサートの前記後方端部における前記スロットとの間に、付勢される接続がもたらされ、前記付勢される接続がもたらされた状態で、前記グリップインサートの前記前方端部が、前記接続部材の前記張り出し肩部に解放可能に装着される、前記グリップインサートと、
前記接続部材の前記前方端部に装着されたかみそりカートリッジと、を備える、湿式シェービングかみそりと、
前記湿式シェービングかみそりを受容するように寸法決めされた第１の部分、並びにヒンジにより前記第１の部分に装着されかつ前記第１の部分及び内部に配設された前記湿式シェービングかみそりを覆うように寸法決めされた第２の部分を有する密閉可能なケースと
を具え、前記フックは、通常の使用中に前記グリップインサートの動きを制限するリブを含むことを特徴とする湿式シェービングかみそりキット。
【請求項１１】
前記ケースの前記第２の部分が、前記湿式シェービングかみそり用のスタンドを提供する前記接続部材の前記後方端部を受容するように構成されるスロットを含むことを特徴とする請求項１０に記載の湿式シェービングかみそりキット。
【発明の詳細な説明】
【技術分野】
【０００１】
本発明は、一体型シェービング及びトリミング装置のための湿式シェービングかみそりに関する。具体的には、本発明は、湿式シェービング中に使用するために電動トリマーに装着することができるか、又はトリマーから独立した湿式シェービングのために都合よく把持及び操作されるハンドルとしての役割を果たすことができる接続部材を含む湿式シェービングかみそりアタッチメントに関する。
【背景技術】
【０００２】
大抵の消費者は、顔の毛の外観を変えたいと思うたびに、かみそり、はさみ及び電動トリマーのような多数の工具を扱うことは、非常に面倒な場合があることに気付いている。シェービング及びトリミングの両方を提供するグルーミング装置は当該技術において既知であるが、しかしながら、かかる装置は多くの場合、大きくて扱いにくく、使用するのが難しい場合がある。例えば、米国特許第７，５３６，７８７号に開示された装置の同じ端部に位置した電気トリミング刃と湿式シェービング刃の両方を有するグルーミング装置は、視界を遮る可能性がある。例えば、湿式シェービング刃は、ユーザーがもみあげ、口ひげ、又は他の顔の毛を整えるためにトリマーを使用するときにユーザーの視界を遮る場合がある。湿式シェービングかみそり刃カートリッジに装着される一方の端部、及びトリマーに装着される他方の端部を有する接続部材を含む取り外し可能な湿式シェービング湿式シェービングアタッチメントを有するシェービング及びトリミング装置が、開発された。
【０００３】
トリマーと湿式シェービングかみそり刃カートリッジとの間の接続部材は、いくつかの要件を満たさなければならない。構造体は、トリマーハンドルのすべての力及び動きを湿式シェービングカートリッジへ伝達するために、湿式シェービングの使用中には安定で固定されていなくてはならない。具体的には、アタッチメントの意図しない係脱は、損傷を防止するために回避されなければならない。構造体は、消費者が湿式シェービングの用途とトリミングの用途との間の切り替えを行うために、容易に装着可能かつ取り外し可能でなければならない。それに加えて、構造体は、接続部材及び対応するカートリッジへの破損を防止するために、湿式シェービングアタッチメント付きトリマーを使用中に落とした場合にその衝撃力に耐えることができなければならない。いくつかの組み合わせにおいて、湿式シェービング及びグルーミング装置は、構造体がトリマーハンドルから発生した振動を湿式シェービングアタッチメントへ伝達するように設計されている。これは、結果的に振幅の損失を招きかつジャラ音を恐らく発生させるであろう部品間のいかなる遊び又は隙間が無い、しっかりした嵌め合いを要求する。
【０００４】
前述した一体型シェービング及びトリミング装置は多くの利便性をもたらすけれども、消費者は、湿式シェービングかみそりアタッチメントをトリマーに装着せずにそれだけを使ってシェービングすることを好む場合がある。加えて、小型の湿式シェービングかみそりアタッチメントは、理想的なスペースを占めるため、旅行に理想的である。接続部材がトリマーへの頑丈な接続を提供するように設計されるけれども、一体型トリマー及び湿式シェービングアタッチメントが重荷にならないように、接続部材の重さはまた最小限に抑えてある。その結果、湿式シェービングかみそりアタッチメントが軽過ぎて快適なシェーブを提供するには握りにくい場合がある。
【発明の概要】
【発明が解決しようとする課題】
【０００５】
消費者にとって容易に装着可能かつ取り外し可能である接続部材を含む湿式シェービングアタッチメントを有する一体型シェービング及びトリミング装置に対するニーズがある。加えて、湿式シェービングかみそりアタッチメントだけでシェービングするために消費者が容易に把持して操作することができるハンドルとしての役割を果たすことができる接続部材を含む、湿式シェービングアタッチメントに対するニーズがある。
【課題を解決するための手段】
【０００６】
電池作動式のトリマー、及び解放可能なロック機構を介してトリマーに取外し可能に接続された湿式シェービングかみそりアタッチメントを備える、一体型シェービング及びトリミング装置が提供される。湿式シェービングかみそりアタッチメントは、前方端部、後方端部、及びそれらの間の対向する両側部を有する接続部材を備える。トリマーから独立した湿式シェービングのために接続部材に取り外し可能に装着される、グリップインサートが提供される。張り出し肩部が接続部材の前方端部に近接して配設され、少なくとも１つのフックが後方端部に配設される。グリップインサートは、前方端部、後方端部、及びそれらの間に対向する両側部を有する。グリップインサートは後方端部に配設されたスロットを含み、このスロットは、接続部材の後方端部に配設された少なくとも１つのフックに解放可能に装着され、グリップインサートの前方端部は、接続部材の張り出し肩部に解放可能に装着される。かみそりカートリッジは、接続部材の前方端部に装着される。
【０００７】
一実施形態では、接続部材は、前方端部に近接した接続部材の対向する両側部に配設されたアライメントガイドを更に備える。グリップインサートは、前方端部に近接した、対向する両側部に配設されたアライメントガイドを更に備える。グリップインサートの対向する両側部に配設されたアライメントガイドは、接続部材の対向する両側部に配設されたアライメントガイドに解放可能に装着される。接続部材の対向する両側部に配設されたアライメントガイドはアライメント溝を備え、グリップインサートの対向する両側部のアライメントガイドはアライメント部材を備える。
【０００８】
一実施形態では、湿式シェービングかみそりアタッチメント及びグリップインサートは、キットに入れて提供される。
【図面の簡単な説明】
【０００９】
【図１】ａ〜ｃは、湿式シェービングかみそりアタッチメントの据付けを例示する一体型シェービング及びトリミング装置の透視図である。
【図２ａ】湿式シェービングかみそりアタッチメントのロック機構を示す一体型湿式シェービング及びトリミング装置の断面図である。
【図２ｂ】湿式シェービングかみそりアタッチメントのロック機構を示す一体型湿式シェービング及びトリミング装置の断面図である。
【図２ｃ】湿式シェービングかみそりアタッチメントのロック機構を示す一体型湿式シェービング及びトリミング装置の断面図である。
【図２ｄ】湿式シェービングかみそりアタッチメントのロック機構を示す一体型湿式シェービング及びトリミング装置の断面図である。
【図３】図２ａ〜２ｄに示すロック機構の代替実施形態の断面図である。
【図４ａ】湿式シェービングかみそりアタッチメントの透視図である。
【図４ｂ】湿式シェービングかみそりアタッチメントの透視図である。
【図４ｃ】湿式シェービングかみそりアタッチメントの透視図である。
【図５】本発明によるトリマー実施形態の平面図である。
【図６ａ】図５に示すトリマー実施形態のためのロック機構の断面図である。
【図６ｂ】図５に示すトリマー実施形態のためのロック機構の断面図である。
【図７ａ】湿式シェービングかみそりアタッチメントの代替実施形態の断面図である。
【図７ｂ】湿式シェービングかみそりアタッチメントの代替実施形態の断面図である。
【図７ｃ】湿式シェービングかみそりアタッチメントの代替実施形態の断面図である。
【図７ｄ】湿式シェービングかみそりアタッチメントの代替実施形態の断面図である。
【図８】ａ及びｂは、湿式シェービングかみそりアタッチメントの代替実施形態の透視図である。
【図９】トリマー櫛を装着した状態の一体型湿式シェービング及びトリミング装置の部分断面図を示す。
【図１０】ａ〜ｃは、本発明によるアライメントガイド及びアライメント部材を利用する湿式シェービングかみそりアタッチメントの据付けを例示する一体型シェービング及びトリミング装置の透視図である。
【図１１】本発明によるアライメントガイド及びアライメント部材を含む一体型シェービング及びトリミング装置の側面図である。
【図１２ａ】組み付け時における段付きスロット及び階段式ピンの可視部分を示す接続部材の側面図である。
【図１２ｂ】図１２ａに示す段付きスロットとインターフェースをとる階段式ピンの断面図である。
【図１２ｃ】図１２ａに示す段付きスロットの段付き表面を示す接続部材の内側表面の側面図である。
【図１３】アライメント部材が接続部材の内側表面に配設され、溝を備えるアライメントガイドがトリマーハウジングの外側表面に配設されるトリマーハウジングに装着される接続部材の側面図である。
【図１４】ａ〜ｃは、本発明によるアライメントガイド及びアライメント部材を利用する櫛アタッチメントの据付けを例示するトリマー及び櫛アタッチメントの側面図である。
【図１５ａ】本発明によるグリップインサートを含む湿式シェービングかみそりアタッチメントの透視図である。
【図１５ｂ】図１５ａに示すグリップインサートを含む湿式シェービングかみそりアタッチメントの平面図である。
【図１５ｃ】図１５ａに示すグリップインサートを含む湿式シェービングかみそりアタッチメントの底面図である。
【図１６】ａ〜ｃは、湿式シェービングかみそりアタッチメントの接続部材へのグリップインサートの据付けを例示する湿式シェービングかみそりアタッチメントの透視図である。
【図１７ａ】本発明によるグリップインサートの透視図である。
【図１７ｂ】本発明によるグリップインサートの平面図である。
【図１７ｃ】本発明によるグリップインサートの底面図である。
【図１８ａ】グリップインサートを含む湿式シェービングかみそりアタッチメントを保管するためのケースの第１の部分の平面図である。
【図１８ｂ】図１８ａに示すケースの第１の部分へヒンジにより装着されたケースの第２の部分を示す、湿式シェービングかみそりアタッチメントを保管するためのケースの上面図である。
【図１９】ケースの第２の部分内に提供されたアパーチャ内に格納された湿式シェービングかみそりアタッチメントを示す、図１８ｂに例示されたケースの透視図である。
【発明を実施するための形態】
【００１０】
図１ａ〜１ｃは、一体型シェービング及びトリミング装置１０を示す。装置１０はハンドル１２、電動トリマー３０、及びトリマー３０に取り外し可能に接続された湿式シェービングかみそりアタッチメント２０を含む。ハンドル１２は上端部１４及び下端部１６、前面１８及び裏面１９を有する。トリマー３０は前面１８上の上端部１４に又はその近傍に位置し、少なくとも１つのトリミング刃を動かすように構成される。このトリミング刃は鋸歯が形成されてよく、またこのトリマー３０内に配設される。ある特定の実施形態では、複数のトリミング刃が重ね位置に配設されてよく、１つ又はそれ以上のトリミング刃の切断縁部に隣接して置かれた毛髪上にトリミング又は切断作用をもたらすように少なくとも一方が他方に対して往復直線運動する。トリマーハウジング３２は、トリマー３０近傍の上端部１４に隣接して配設される。
【００１１】
湿式シェービングかみそりアタッチメント２０は、接続部材２２及びかみそりカートリッジ２４を含む。接続部材２２は、トリマー３０に被せてハンドル１２上に取り付けるのに適合される。かみそりカートリッジ２４は、接続部材２２と係合可能に嵌合する。図１ａ〜ｃの実施形態では、かみそりカートリッジ２４は、接続部材２２に取り外し可能に装着される。かみそりカートリッジ２４は、カートリッジ２４のハウジング２８内に搭載された１つ又はそれ以上の刃２６を含む。装置１０は、図１ａに示すように、湿式シェービングかみそりアタッチメント２０を完全に取り外した状態で、トリミング装置として、又は湿式シェービングアタッチメント２０が上端部１４に取り外し可能に装着された状態で湿式シェービング装置として作動するように構成される。図１ｂ及び１ｃは、湿式シェービングかみそりアタッチメント２０のハンドル１２への組み付けの進行を例示する。一体型シェービング及びトリミング装置１０は、湿式シェービングかみそりアタッチメント２０がハンドル１２に組み付けられている間にトリマーモータを起動して、これによりトリマーモータから得られた振動がかみそりアタッチメント２０への振動に並進することによって、電動湿式シェービング装置として機能することができる。
【００１２】
別の実施形態（図示されず）では、湿式シェービングかみそりアタッチメント２０は、かみそりカートリッジ２４を接続部材２２に取り外し可能に装着するための排除機構を含む。更に別の実施形態では、かみそりカートリッジ２４は、前面に１つ又はそれ以上のかみそり刃及び前面に対して略直角をなして配設された少なくとも１つの刃を含む。排除機構及びかみそりカートリッジ２４は、Ｖｉｎｃｅｎｔ  Ｗａｌｋｅｒに付与され、Ｔｈｅ  Ｇｉｌｌｅｔｔｅ  Ｃｏｍｐａｎｙに譲渡された米国特許出願第７，６６９，３３５号に開示されている。
【００１３】
別の実施形態では、毛髪を所望の長さにトリミングするための櫛アタッチメントは、湿式シェービングかみそりアタッチメントが完全に取り外されているときにトリミング装置２１０に組み付けられてよい。図９に示すように、櫛アタッチメント２３８は、湿式シェービングかみそりアタッチメントに使用されるいくつかの又はすべての同じ接続特徴部を使用してトリマーハウジング２３２に装着されるように構成され得る。
【００１４】
図２ａ〜２ｄに示す実施形態では、トリミング装置１０は、湿式シェービングかみそりアタッチメント２０の接続部材２２とインターフェースをとるトリマー３０の前面１８に配設された少なくとも１つの張り出し縁部３４を備えるトリマーハウジング３２を含む。１つの代替実施形態では、トリマーハウジング３２は、トリマー３０の左及び右に対してである、トリマー３０の対向する両側部の前面１８に配設された２つの離間した張り出し縁部３４を含むことができる。以下に更に詳細に説明される別の実施形態では、トリマーハウジング３２は、湿式シェービングかみそりアタッチメント２０の接続部材２２に配設されたアライメントガイドとの嵌合、解放可能な装着をもたらすトリマーハウジング３２の対向する両側部の電動トリマー３０に近接して配設された、２つの離間したアライメントガイドを含むことができる。
【００１５】
トリミング装置１０はハンドル１２の裏面１９上で上端部１４に近接して配設されたばね仕掛けのスライダ４０を含み、湿式シェービングかみそりアタッチメント２０のための解放可能な接続をもたらす。ばね仕掛けのスライダ４０は、前方側面４４及び後方側面４６を有するスロット４２含む。スロット４２の前方側面４４は、湿式シェービングかみそりアタッチメント２０の接続部材２２とインターフェースをとる張り出しリップ４８を含む。ばね仕掛けのスライダ４０は、前後方向にスライダ４０の直線的な動きを付勢するばね７０を含む。図２ａ及び２ｃに示す実施形態では、ばね７０は、スロット４２の前方側面４４の近傍に位置する。しかしながら、以下で詳述した図３に示す代替実施形態では、ばね１７０は、スロット１４２の後方側面１４６の近傍に位置する。
【００１６】
湿式シェービングかみそりアタッチメント２０は、前方端部５０及び後方端部５２、前面５４及び裏面５６を有する接続部材２２を備える。接続部材２２は、前方端部５０に近接した前面５４に配設された張り出し肩部５８を含む。張り出し肩部５８は、トリマーハウジング３２の張り出し縁部３４に解放可能に装着される。以下でより詳述された１つの代替実施形態では、接続部材は、トリマーハウジング３２に配設されたアライメントガイドと解放可能に嵌合する接続部材の対向する両側部に配設されたアライメントガイドを含む。
【００１７】
少なくとも１つのフック６０は、後方端部５２において接続部材２２の前面５４に配設される。フック６０は、ラッチング表面６２を含む。図２ｂ及び２ｄに示すように、フック６０はばね仕掛けのスライダ４０においてスロット４２に解放可能に装着され、これにより、ラッチング表面６２がスロット４２の前方側面４４上で張り出しリップ４８に当接する。接続部材２２のフック６０をスロット４２の前方側面４４上の張り出しリップ４８に装着している間に、可聴クリックが発生する。図示されていない１つの代替実施形態では、接続部材は、接続部材の後方端部において配設された２つ以上のフックを含むことができる。
【００１８】
図２ａ〜２ｄに示す実施形態では、スライダ４０に装着されたばね７０により発生したばね力が、接続部材２２をハンドル１２とぴったり嵌り合う関係に引っ張り込むように、ラッチング表面６２は傾斜している。ラッチング表面６２の傾斜構成とばね仕掛けのスライダ４０との組み合わせはまた、接続部材２２が装置１０の落下の結果として発生する突然の衝撃などの過大な力の下で係合解除することを可能にする。接続部材２２がかかる力の下でハンドル１２から分離することを可能にすることによって、装置を使用中に誤って落とした場合に接続部材２２が破壊するのを防ぐことができる。
【００１９】
ばね１７０がスロット１４２の後方側面１４６の近傍に位置する、図３に示す代替実施形態において、フック１６０及び対応するラッチング表面１６２は、スロット１４２の後方側面１４６に向けて方向付けられる。この実施形態では、スロット１４２の後方側面１４６は、フック１６０上でラッチング表面１６２とインターフェースをとる張り出しリップ１４８を含む。
【００２０】
図４ａ〜４ｃに示す一実施形態では、接続部材２２上のフック６０は、通常の使用中に接続部材２２の動きを制限する（すなわち、接続部材などからカートリッジを取り外して、シェービング）リブ６４を含む。リブ６４は、フック６０の前方面の真ん中に配設される。この実施形態については、図５に示すばね仕掛けのスライダ４０内のスロット４２は、リブ６４を収容するためにスロット４２の前方側面４４にチャネル４５を含む。チャネル４５は、スロット４２の前方側面４４に対して直角に方向付けられる。図６ａ及び６ｂは、リブ６４が図５に示すスロット４２及びチャネル４５に解放可能に装着された状態で接続部材２２及びフック６０を含む、湿式シェービングかみそりアタッチメント２０を示す。
【００２１】
図７ａ〜７ｄに示す１つの代替実施形態では、接続部材２２２は、接続部材２２２とハンドル２１２との間に付勢された解放可能な接続をもたらすように構成され得る。この実施形態については、ハンドル２１２は、スロット２４２がばね仕掛けのスライダ無しで上端部２１４に近接したハンドル２１２の裏面２１９に直接に配設される状態で構成される。前述したスライダ構成と同様に、ハンドル２１２内のスロット２４２は、前方側面２４４及び後方側面２４６を含む。スロットの前方側面は、張り出しリップ２４８を含む。接続部材２２２は、前面２５４及び裏面２５６並びに前方端部２５０及び弾力的な可撓性後方端部２５２を含む。張り出し肩部２５８は、前方端部２５０に近接した前面２５４に配設される。張り出し肩部２５８は、ハンドル２１２の前面２１８上のトリマーハウジング２３２の少なくとも１つの張り出し縁部２３４に解放可能に装着される。好ましくは、張り出し肩部２５８は、トリマー２３０の対向する両側部に配設されたトリマーハウジング２３２の２つの張り出し縁部２３４に解放可能に装着される。フック２６０は、弾力的な可撓性後方端部２５２において前面２５４に配設される。フック２６０は前方に向いたラッチング表面２６２を含み、フック２６０がハンドル２１２の裏面２１９においてスロット２４２に解放可能に装着される。ラッチング表面２６２は、弾力的な可撓性後方端部２５２によってスロット２４２の前方側面２４４上で張り出しリップ２４８に対して付勢される。
【００２２】
この実施形態のために、接続部材２２２の弾力的な後方端部２５２は、図７ａ〜７ｄに示す接続部材２２２の裏面２５６に装着された成形弾力的な要素２８０を含むことができる。成形弾力的な要素２８０は、接続部材２２２とハンドル２１２との間の解放可能な装着に必要な弾力的な可撓性をもたらす。図７ｄに示すように、接続部材２２２は、力Ｆを接続部材２２２の弾力的な後方端部２５２に加えることによって取り外される。
【００２３】
図８ａ及び８ｂに示す１つの代替実施形態では、接続部材３２２は硬質プラスチックから構成され得、弾力的後方端部３５２は弾力的に可撓性であるように構成され得る。図８ａに示す実施形態では、後方端部３５２は、後方端部３５２を接続部材３２２の前方端部３５４に接続する硬質プラスチックの一体型ストリップ３９４を形成する接続部材３２２の対向する両側部における不連続スロット３９０、３９２によって、前方端部３５０から部分的に分離される。硬質プラスチックの一体型ストリップ３９４は弾力的可撓性後方端部３５２を形成し、図８ｂに示すように、接続部材３２２のハンドル３１２への取り外し可能な装着中に後方端部３５２及び対応するフック（図示されず）が撓むことを可能にする。
【００２４】
湿式シェービングかみそりアタッチメント２０のトリマー１０への正しい組み付けを確実にするために、一体型シェービング及びトリミング装置は、湿式シェービングかみそりアタッチメント２０のトリマー１０への一方向装着をもたらす特徴部を含むことができる。図１０ａ〜１０ｃは、湿式シェービングかみそりアタッチメント４２２のトリミング装置４１０への組み付けの進行を例示し、このトリミング装置４１０は、一方向装着をもたらすアライメントガイドを含む。かかる特徴部は、湿式シェービングかみそりアタッチメントのトリミング装置４１０及び接続部材４２２の両方に配設されたアライメントガイドを含むことができる。
【００２５】
図１０ａ〜１０ｃに示す実施形態のために、トリマーハウジングは、トリマーハウジング４３２の対向する両側部の電動トリマー刃に近接したトリマーハウジング４３２に配設されたアライメント部材４９２を含む。この実施形態のために、接続部材４２２は、接続部材４２２の前方端部に近接した接続部材４２２の対向する両側部に配設されたアライメント溝４８２を含む。アライメント溝４８２は、アライメント部材４９２と嵌合する。図１１に示すように、アライメント部材４９２はトリマーハウジング４３２から延びるピンを含むことができ、アライメント溝４８２は接続部材４２２の対向する両側部にスロットを含むことができる。図１０ａ〜１０ｃ及び図１１に示す実施形態のために、接続部材４２２内のアライメント溝４８２は、接続部材４２２のトリマーハウジング４３２への一方向装着をもたらし、かつピン４９２を中心とした接続部材４２２の回転を促進するためにＬ字状になっており、これにより、接続部材４２２の後方端部上のフック４６０をトリマーハンドル４１２の裏側のスロットに接触させるようにしている。
【００２６】
図１２ａ〜２ｃに示す１つの代替実施形態では、アライメントガイドが一体型シェービング及びトリミング装置の美観に及ぼす影響を最小に抑えるために、アライメント部材は階段式ピンを含み、アライメント溝は段付き溝を含む。階段式ピン５９２は、トリマーハウジング５３２へ接合される第１の直径を有するベース５９６及び第２の直径を有するトリマーハウジング５３２から離れて延びる先端部５９８を含み、ここで第１の直径は第２の直径よりも大きい。この実施形態のために、接続部材５２２内のアライメント溝５８２は接続部材５２２の内側表面上にコンパウンド溝５８２を備え、接続部材５２２の内側表面上に第１の幅を有する第１のチャネル５８４及びこの第１の幅より小さい第２の幅を有する第１のチャネル５８４の内部に第２のチャネル５８６を形成する。組み付け時に第１のチャネル５８４は階段式ピン５９２のベース５９６を受容し、第２のチャネル５８６は階段式ピン５９２の先端部５９８を受容する。ベース５９６におけるピン５９２の直径は、良好な機械的抵抗及び良好な案内表面を提供するようにサイズが設定され、ピンの先端部分５９８の直径を低減するために、階段が作り出される。その結果、接続部材５２２上のアライメント溝５８２の第２のチャネル部分５８６及びトリマーハウジング５３２上の階段状のピン５９２の先端部分５９８のみが、組み付け時に可視である。別の実施形態では、半透明材料は第２のチャネル部分５８６を覆うことができ、これによって、階段状のピン５９２の先端部部分５９８が可視であるが組み付け時に露出しないように、第２のチャネル部分を閉じる。
【００２７】
図１３に示す別の実施形態では、トリミング装置６１０は、アライメント溝６８２を備えるトリマーハウジング６３２上のアライメントガイド、及びアライメント部材６９２を備える接続部材６２２上のアライメントガイドを含む。この実施形態のために、アライメント部材６９２は、接続部材６２２の対向する両側部の接続部材６２２の内側表面に配設されたピンを含む。アライメント溝６８２は、トリマーハウジング６３２の対向する両側部に、電動トリマー刃に近接したチャネルを含む。
【００２８】
前述しかつ図９に示す、毛髪を所望の長さにトリミングするための櫛アタッチメントは、前述したアライメントガイド及びアライメント部材を使用してトリミング装置４１０に組み付けられ得る。図１４ａ〜１４ｃに示すように、櫛アタッチメント７３８は、湿式シェービングかみそりアタッチメントに使用される同じ接続特徴部のいくつかの又はすべてを使用してトリミング装置４１０のトリマーハウジング４３２に装着されるように構成され得る。この実施形態のために、櫛アタッチメント７３８は、櫛アタッチメント７３８の前方端部に近接した櫛アタッチメント７３８の対向する両側部に配設されたアライメント溝７８２を含む。アライメント溝７８２は、トリマーハウジング４３２上のアライメント部材４９２と嵌合する。図１４ａに示すように、アライメント部材４９２はトリマーハウジング４３２から延びるピンを含むことができ、アライメント溝７８２は櫛アタッチメント７３８の対向する両側部にスロットを含むことができる。前述しかつ図１０ａ〜１０ｃに示す接続部材と同様に、図１４ａ〜１４ｃに示す櫛アタッチメント７３８は、櫛アタッチメント７３８の後方端部上のフック７６０をトリマーハンドル４１２の裏側におけるスロット４４２と接触させるために、櫛アタッチメント７３８のトリマーハウジング４３２への一方向装着をもたらし、かつピン４９２を中心とした櫛アタッチメント７３８の回転を促進するＬ字状アライメント溝７８２を含む。
【００２９】
トリマーから独立した湿式シェーブアタッチメント８２０を使用して消費者がシェーブを湿らすのが望ましいことがある。図１５ａ〜１５ｃに示す１つの代替実施形態では、接続部材８２２内で組み付けることができるグリップインサート７２が提供される。グリップインサート７２を挿入すると、湿式シェービングアタッチメント８２０の重さが増えてアタッチメントの制御及び操作性が改善され、グリップインサート７２はグリップ特徴部を含み、その組み合わせが、装置の人間工学を改善する。図１６ａ及び１６ｂは、湿式シェービングアタッチメント８２０の接続部材４２２内でのグリップインサート７２の組み付けの進行を例示する。
【００３０】
図１７ａ〜１７ｃに例示されたグリップインサート７２は、前方端部７３、後方端部７４、及びそれらの間の対向する両側部７５ａ及び７５ｂを含む。スロット７６は、接続部材８２２の後方端部８５２に配設された少なくとも１つのフック８６０に解放可能に装着するためのインサートの後方端部７４に配設される。スロットは、接続部材のフック上のリブとインターフェースをとるためのチャネルを含むことができる。リブ／チャネルインターフェースは、使用中にインサートの動きを制限する。グリップインサート７２の前方端部７３は、接続部材８２２の張り出し肩部８５８に解放可能に装着するための凹凸がある。アライメント部材９２を備えるアライメントガイドは、接続部材８２２上のアライメント溝８８２とインターフェースをとるために、対向する両側部７５ａ及び７５ｂのインサートの前方端部７３に配設することができる。図１７ａ〜１７ｃに示すように、アライメント部材９２は、グリップインサート７２から延びるピンを含むことができる。接続部材８２２内のアライメント溝８８２は、接続部材８２２の対向する両側部にスロットを含むことができる。
【００３１】
グリップインサート７２は、使用中に把持を容易にするために弾力性を有するプラスチック又はゴム材料から作製することができる。グリップインサート７２の弾力性はまた、接続部材８２２の後方端部８５２におけるフック８６０とグリップインサート７２の後方端部７４におけるスロット７６との間に、付勢される接続をもたらす。加えて、グリップインサート７２の上部及び底部表面７７、７８は、特に濡れているときの滑りを減らすために溝又はうねり７９を含む。
【００３２】
グリップインサート７２を、一体型湿式シェービング及びトリミング装置のためのパッケージングにおけるアクセサリとして含めてもよい。あるいは、湿式シェービングかみそりアタッチメント８２０及びグリップインサート７２は、湿式シェービングかみそり８２０を保管するためのケース９００を含む湿式シェービングかみそりキット内に提供されてよい。図１８ａ及び１８ｂに示す湿式シェービングかみそりケース９００は、湿式シェービングかみそり８２０を受容するように寸法決めされた第１の部分９０２、及び第１の部分９０２にヒンジにより装着され、かつ第１の部分９０２及び内部に配設された湿式シェービングかみそり８２０を覆うように寸法決された第２の部分９０４を含む。ケースの第１の端部９０６は、第１の部分９０２を第２の部分９０４に接続するヒンジ９１０、並びに水切れ及び湿式シェービングかみそり８２０の乾燥を容易にするために第２の部分９０４に配設された複数のアパーチャ９０８を含む。加えて、第２の部分９０４は、第２の部分９０４の中央にスロット９１２を含む。図１９に示すように。スロット９１２は接続部材８２２の後方端部８５２を受容するように構成され、湿式シェービングかみそり８２０を使用してない間垂直に格納するためのスタンドを提供する。
【００３３】
本明細書に開示された寸法及び値は、列挙された正確な数値に厳密に限定されるものと理解されるべきではない。むしろ、特に明記しない限り、かかる寸法はそれぞれ、列挙された値及びその値の周辺の機能的に同等の範囲の両方を意味することが意図される。例えば、「４０ｍｍ」として開示された寸法は「約４０ｍｍ」を意味することが意図される。
【００３４】
本明細書に引用されたすべての文書は、いずれの相互関連又は関連する特許又は出願を含み、明示的に除外されない限りないしは別の方法で限定されない限り、その全体が参照により本明細書に組み込まれる。いかなる文書の引用も、こうした文書が本明細書に開示又は請求されるすべての発明に対する先行技術であることを容認するものではなく、あるいは、こうした文書が、単独で、又はいかなる他の参照文献（複数可）とのいかなる組み合わせにおいて、かかる発明のいずれかを参照する、教示する、示唆する、又は開示することを容認するものでもない。更に、本文書中の用語のいかなる意味又は定義の範囲が、参照により組み込まれた文書中の同じ用語のいかなる意味又は定義と矛盾する限りにおいて、本文書中でその用語に指定された意味又は定義が優先されるものとする。
【００３５】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の「特許請求の範囲」で扱うものとする。
【図１】
2017148645.tif 000003
【図２ａ】
2017148645.tif 000004
【図２ｂ】
2017148645.tif 000005
【図２ｃ】
2017148645.tif 000006
【図２ｄ】
2017148645.tif 000007
【図３】
2017148645.tif 000008
【図４ａ】
2017148645.tif 000009
【図４ｂ】
2017148645.tif 000010
【図４ｃ】
2017148645.tif 000011
【図５】
2017148645.tif 000012
【図６ａ】
2017148645.tif 000013
【図６ｂ】
2017148645.tif 000014
【図７ａ】
2017148645.tif 000015
【図７ｂ】
2017148645.tif 000016
【図７ｃ】
2017148645.tif 000017
【図７ｄ】
2017148645.tif 000018
【図８】
2017148645.tif 000019
【図９】
2017148645.tif 000020
【図１０】
2017148645.tif 000021
【図１１】
2017148645.tif 000022
【図１２ａ】
2017148645.tif 000023
【図１２ｂ】
2017148645.tif 000024
【図１２ｃ】
2017148645.tif 000025
【図１３】
2017148645.tif 000026
【図１４】
2017148645.tif 000027
【図１５ａ】
2017148645.tif 000028
【図１５ｂ】
2017148645.tif 000029
【図１５ｃ】
2017148645.tif 000030
【図１６】
2017148645.tif 000031
【図１７ａ】
2017148645.tif 000032
【図１７ｂ】
2017148645.tif 000033
【図１７ｃ】
2017148645.tif 000034
【図１８ａ】
2017148645.tif 000035
【図１８ｂ】
2017148645.tif 000036
【図１９】
2017148645.tif 000037
【外国語明細書】
2017148645000001.pdf